(57)【要約】【課題】大量の高温蒸気を発生させることができ、サウナ室を迅速にロウリュウサウナ環境にすることができるサウナ室用蒸気発生装置を提供する。【解決手段】サウナ室用蒸気発生装置１０Ａは、上下方向へ長いケーシング１４と、ケーシング１４の頂部開口１５を開閉可能な蓋１６と、ケーシング１４の内部に収容された複数のサウナストーン１７と、ケーシング１４に接続された燃焼ガス流入管１８および燃焼ガス流出管１９とを有する。蒸気発生装置１０Ａでは、蓋１６を閉めてケーシング１４の頂部開口１５を閉鎖した状態で、燃焼ガスをケーシング１４の内部に流動させることでサウナストーン１７を所定温度に加熱し、蓋１６を開けてケーシング１４の頂部開口１５を開放した後、頂部開口１５からケーシング１４に収容されたサウナストーン１７を注水することで、頂部開口１５から大量の高温蒸気を一気に放出させる。【選択図】図１
2015096097.tif 000002
【特許請求の範囲】
【請求項１】
サウナ室に設置され、燃焼ガスの熱を利用して前記サウナ室内に高温蒸気を放出するサウナ室用蒸気発生装置において、
前記サウナ室用蒸気発生装置が、上下方向へ長いケーシングと、前記ケーシングの頂部開口を開閉可能な蓋と、前記ケーシングの内部に収容された複数のサウナストーンと、前記ケーシングに接続された燃焼ガス流入管および燃焼ガス流出管とを有し、
前記サウナ室用蒸気発生装置では、前記蓋を閉めて前記ケーシングの頂部開口を閉鎖した状態で、前記燃焼ガスを該ケーシングの内部に流動させることでそれらサウナストーンを高温に加熱し、前記蓋を開けて前記ケーシングの頂部開口を開放した後、該頂部開口から該ケーシング内部に収容されたそれらサウナストーンに水を注水することで、該頂部開口から大量の高温蒸気を前記サウナ室内に一気に放出させることを特徴とするサウナ室用蒸気発生装置。
【請求項２】
前記燃焼ガス流入管が、前記ケーシングの頂部に接続され、前記燃焼ガス流出管が、前記ケーシングの底部に接続され、前記サウナ室用蒸気発生装置では、前記蓋を閉めて前記ケーシングの頂部開口を閉鎖した状態で、前記燃焼ガスを該ケーシングの頂部から底部に向かって流動させることで、前記頂部に位置するサウナストーンから前記底部に位置するサウナストーンに向かってそれらサウナストーンを高温に加熱する請求項１に記載のサウナ室用蒸気発生装置。
【請求項３】
前記サウナ室用蒸気発生装置では、前記ケーシングの頂部開口からの高温蒸気の放出が終了した後、前記蓋を閉めて前記ケーシングの頂部開口を閉鎖し、前記燃焼ガスを該ケーシングの頂部から底部に向かって流動させることでそれらサウナストーンを再加熱し、それらサウナストーンの再加熱では、前記ケーシングの頂部に位置するサウナストーンが該ケーシングの中央部に位置するサウナストーンよりも先に加熱され、前記ケーシングの中央部に位置するサウナストーンが該ケーシングの底部に位置するサウナストーンよりも先に加熱される請求項２に記載のサウナ室用蒸気発生装置。
【請求項４】
前記サウナ室用蒸気発生装置では、前記ケーシングの頂部に位置するサウナストーンが該ケーシングの中央部および底部に位置するサウナストーンよりも高い温度に加熱されている請求項３に記載のサウナ室用蒸気発生装置。
【請求項５】
前記サウナ室用蒸気発生装置が、前記燃焼ガスの熱を前記サウナ室内に放熱するヒーター装置に接続され、前記ヒーター装置が、前記燃焼ガスを作るバーナーと、前記バーナーにつながって前記燃焼ガスの熱を前記サウナ室内に放射しつつ、該燃焼ガスを前記蒸気発生装置に流入させる熱第１放射管と、前記蒸気発生装置から流出した燃焼ガスの熱を前記サウナ室内に放射する熱第２放射管と、前記熱第２放射管につながって前記燃焼ガスを外気に排気する排気口と、前記燃焼ガスを前記バーナーから前記排気口に向かって流動させるファンと有し、前記サウナ室用蒸気発生装置では、前記燃焼ガス流入管が前記熱第１放射管に連結され、前記燃焼ガス流出管が前記熱第２放射管に連結されている請求項１ないし請求項４いずれかに記載のサウナ室用蒸気発生装置。
【請求項６】
前記サウナ室用蒸気発生装置が、前記燃焼ガス流入管と前記燃焼ガス流出管とに連結された燃焼ガスバイパス管を含み、前記サウナ室用蒸気発生装置では、前記蓋を開けて前記ケーシングの頂部開口を開放する際に、前記燃焼ガスバイパス管が開放され、前記ケーシングと前記燃焼ガスバイパス管との間に延びる燃焼ガス流入管が閉鎖されるとともに、前記ケーシングと前記燃焼ガスバイパス管との間に延びる燃焼ガス流出管が閉鎖され、前記ケーシングの内部への前記燃焼ガスの流入が遮断されて該燃焼ガスが前記燃焼ガス流入管から前記燃焼ガスバイパス管を通って前記燃焼ガス流出管に流入する請求項１ないし請求項５いずれかに記載の前記サウナ室用蒸気発生装置。
【請求項７】
前記サウナ室用蒸気発生装置では、前記蓋を閉めて前記ケーシングの頂部開口を閉鎖する際に、前記燃焼ガスバイパス管が閉鎖され、前記ケーシングと前記燃焼ガスバイパス管との間に延びる前記燃焼ガス流入管が開放されるとともに、前記ケーシングと前記燃焼ガスバイパス管との間に延びる前記燃焼ガス流出管が開放され、前記燃焼ガスが前記ケーシングの内部を流動する請求項６に記載のサウナ室用蒸気発生装置。
【発明の詳細な説明】
【技術分野】
【０００１】
本発明は、燃焼ガスの熱を利用してサウナ室内に所定温度の水蒸気を放出するサウナ室用蒸気発生装置に関する。
【背景技術】
【０００２】
上下方向へ長いハウジングと、ハウジングの内部に配置されて可燃ガスを燃焼させるガス燃焼バーナーおよび燃焼筒を有するガス燃焼装置と、燃焼筒に接続されてガス燃焼装置から出る燃焼ガスを下流側の排気設備に向かって通過させる熱放射管と、熱放射管に設置され、燃焼筒から熱放射管を通って排気される燃焼ガスの熱を利用して蒸気を発生させる加湿装置とを備えたガス燃焼ヒーターが開示されている（特許文献１参照）。このガス燃焼ヒーターは、サウナ室に設置され、燃焼ガスを利用してサウナ室内を加熱するとともに、サウナ室内を加湿する。
【０００３】
ガス燃焼ヒーターの加湿装置は、空間部が内部に形成されてその空間部を燃焼ガスが流れるように設置された外筒と、内部に貯水室を有して外筒の空間部に一部が挿入される内筒とから形成されている。ガス燃焼ヒーターでは、ガス燃焼装置による可燃ガスの燃焼よって発生する燃焼ガスが外筒の空間部を流れ、その燃焼ガスにより内筒が加熱されて貯水室内の水が蒸気化される。発生した水蒸気は、内筒から外筒の外に放出され、熱放射管から放熱される熱とともに水蒸気が室内に供給される。
【先行技術文献】
【特許文献】
【０００４】
【特許文献１】特開２０１３−２３４８５５号公報
【発明の概要】
【発明が解決しようとする課題】
【０００５】
前記特許文献１に開示のガス燃焼ヒーターは、熱放射管に加湿装置を設置することで、それとは別の蒸気発生設備を施設することなく、ヒーター自体から水蒸気をサウナ室に放出させることができる。しかし、加湿装置は、そこから大量の水蒸気を一気に発生させることはできず、大量の熱気流（熱波）で身体を包み込むロウリュウサウナ（フィンランド式サウナ）の蒸気発生装置として利用することはできない。なお、サウナ室は、その種類によって温度が異なり、６０〜１００℃の広い温度範囲で利用される。
【０００６】
本発明の目的は、大量の高温蒸気を短時間に複数回発生させることができ、サウナ室を迅速にロウリュウサウナにすることができるサウナ室用蒸気発生装置を提供することにある。また、サウナ室を所定の温度に加熱することが可能なヒーター装置に接続されることで、サウナ室に大量の高温蒸気を短時間に放出かつ充満させることができ、サウナ室にロウリュウサウナに適する熱気流を発生させることができるサウナ室用蒸気発生装置を提供することにある。
【課題を解決するための手段】
【０００７】
前記課題を解決するための本発明の前提は、サウナ室に設置され、燃焼ガスの熱を利用してサウナ室内に高温蒸気を放出するサウナ室用蒸気発生装置である。
【０００８】
前記前提における本発明の特徴は、サウナ室用蒸気発生装置が、上下方向へ長いケーシングと、ケーシングの頂部開口を開閉可能な蓋と、ケーシングの内部に収容された複数のサウナストーンと、ケーシングに接続された燃焼ガス流入管および燃焼ガス流出管とを有し、サウナ室用蒸気発生装置では、蓋を閉めてケーシングの頂部開口を閉鎖した状態で、燃焼ガスをケーシングの内部に流動させることでそれらサウナストーンを高温に加熱し、蓋を開けてケーシングの頂部開口を開放した後、頂部開口からケーシング内部に収容されたそれらサウナストーンに水を注水することで、頂部開口から大量の高温蒸気をサウナ室内に一気に放出させることにある。
【０００９】
本発明の一例としては、燃焼ガス流入管がケーシングの頂部に接続され、燃焼ガス流出管がケーシングの底部に接続され、サウナ室用蒸気発生装置では、蓋を閉めてケーシングの頂部開口を閉鎖した状態で、燃焼ガスをケーシングの頂部から底部に向かって流動させることで、頂部に位置するサウナストーンから底部に位置するサウナストーンに向かってそれらサウナストーンを高温に加熱する。
【００１０】
本発明の他の一例として、サウナ室用蒸気発生装置では、ケーシングの頂部開口からの高温蒸気の放出が終了した後、蓋を閉めてケーシングの頂部開口を閉鎖し、燃焼ガスをケーシングの頂部から底部に向かって流動させることでそれらサウナストーンを再加熱し、それらサウナストーンの再加熱では、ケーシングの頂部に位置するサウナストーンがケーシングの中央部に位置するサウナストーンよりも先に加熱され、ケーシングの中央部に位置するサウナストーンがケーシングの底部に位置するサウナストーンよりも先に加熱される。
【００１１】
本発明の他の一例として、サウナ室用蒸気発生装置では、ケーシングの頂部に位置するサウナストーンがケーシングの中央部および底部に位置するサウナストーンよりも高い温度に加熱されている。
【００１２】
本発明の他の一例としては、サウナ室用蒸気発生装置が燃焼ガスの熱をサウナ室内に放熱するヒーター装置に接続され、ヒーター装置が、燃焼ガスを作るバーナーと、バーナーにつながって燃焼ガスの熱をサウナ室内に放射しつつ、燃焼ガスを蒸気発生装置に流入させる熱第１放射管と、蒸気発生装置から流出した燃焼ガスの熱をサウナ室内に放射する熱第２放射管と、熱第２放射管につながって燃焼ガスを外気に排気する排気口と、燃焼ガスをバーナーから排気口に向かって流動させるファンと有し、サウナ室用蒸気発生装置では、燃焼ガス流入管が熱第１放射管に連結され、燃焼ガス流出管が熱第２放射管に連結されている。
【００１３】
本発明の他の一例としては、サウナ室用蒸気発生装置が、燃焼ガス流入管と燃焼ガス流出管とに連結された燃焼ガスバイパス管を含み、サウナ室用蒸気発生装置では、蓋を開けてケーシングの頂部開口を開放する際に、燃焼ガスバイパス管が開放され、ケーシングと燃焼ガスバイパス管との間に延びる燃焼ガス流入管が閉鎖されるとともに、ケーシングと燃焼ガスバイパス管との間に延びる燃焼ガス流出管が閉鎖され、ケーシングの内部への燃焼ガスの流入が遮断されて燃焼ガスが燃焼ガス流入管から燃焼ガスバイパス管を通って燃焼ガス流出管に流入する。
【００１４】
本発明の他の一例として、サウナ室用蒸気発生装置では、蓋を閉めてケーシングの頂部開口を閉鎖する際に、燃焼ガスバイパス管が閉鎖され、ケーシングと燃焼ガスバイパス管との間に延びる燃焼ガス流入管が開放されるとともに、ケーシングと燃焼ガスバイパス管との間に延びる燃焼ガス流出管が開放され、燃焼ガスがケーシングの内部を流動する。
【発明の効果】
【００１５】
本発明にかかるサウナ室用蒸気発生装置によれば、ケーシングの頂部開口からそれらサウナストーンに水を注水することで、頂部開口から大量の高温蒸気が一気に放出されるから、サウナ室に大量の高温蒸気を短時間に放出かつ充満させることができ、サウナ室にロウリュウサウナに適する熱気流（熱波）を発生させることができる。サウナ室用蒸気発生装置は、燃焼ガスの熱を利用してそれらサウナストーンを加熱することで、サウナストーンが高温に加熱されるから、サウナストーンに水を注水することでそれらサウナストーンにおいて水が瞬時に気化し、ケーシングの頂部開口から大量の高温蒸気をサウナ室内に一気に放出させることができ、サウナ室を速やかにロウリュウサウナに適する熱気流環境にすることができる。
【００１６】
燃焼ガス流入管がケーシングの頂部に接続され、燃焼ガス流出管がケーシングの底部に接続され、蓋を閉めてケーシングの頂部開口を閉鎖した状態で、燃焼ガスをケーシングの頂部から底部に向かって流動させることで、頂部に位置するサウナストーンから底部に位置するサウナストーンに向かってそれらサウナストーンを高温に加熱するサウナ室用蒸気発生装置は、ケーシングの頂部から底部に向かって燃焼ガスを流動させ、燃焼ガスの熱を利用してサウナストーンを加熱することで、特に頂部に位置するサウナストーンが高温に加熱されるから、ケーシングの頂部開口から水を注水することで頂部のそれらサウナストーンにおいて水が瞬時に気化し、ケーシングの頂部開口から大量の高温蒸気をサウナ室内に一気に放出させることができ、サウナ室を速やかにロウリュウサウナに適する熱気流環境にすることができる。
【００１７】
ケーシングの頂部開口からの高温蒸気の放出が終了した後、蓋を閉めてケーシングの頂部開口を閉鎖し、燃焼ガスをケーシングの頂部から底部に向かって流動させることでそれらサウナストーンを再加熱するサウナ室用蒸気発生装置は、頂部開口から水を注水して高温蒸気を発生させると、頂部に位置するサウナストーンの温度が真っ先に低下するが、燃焼ガスをケーシングの頂部から底部に向かって流動させることで、頂部に位置するサウナストーンが速やかに再加熱されるとともに、中間部や底部に位置するサウナストーンが速やかに再加熱されるから、蒸気発生装置における高温蒸気の発生サイクルを短くすることができ、蒸気発生装置から大量の高温蒸気を短時間に複数回発生させることができる。
【００１８】
ケーシングの頂部に位置するサウナストーンがケーシングの中央部および底部に位置するサウナストーンよりも高い温度に加熱されているサウナ室用蒸気発生装置は、ケーシングの頂部に位置するサウナストーンが中央部や底部に位置するサウナストーンよりも高温に加熱されていることで、頂部開口から注水された水が頂部に位置するそれらサウナストーンによって瞬時に気化し、蒸気発生装置から大量の高温蒸気をサウナ室内に短時間に一気に放出させることができ、サウナ室を速やかにロウリュウサウナに適する熱気流環境にすることができる。
【００１９】
サウナ室用蒸気発生装置が燃焼ガスの熱をサウナ室内に放熱するヒーター装置に接続され、ヒーター装置が、燃焼ガスを作るバーナーと、バーナーにつながって燃焼ガスの熱をサウナ室内に放射しつつ、燃焼ガスを蒸気発生装置に流入させる熱第１放射管と、蒸気発生装置から流出した燃焼ガスの熱をサウナ室内に放射する熱第２放射管と、熱第２放射管につながって燃焼ガスを外気に排気する排気口と、燃焼ガスをバーナーから排気口に向かって流動させるファンと有し、燃焼ガス流入管が熱第１放射管に連結され、燃焼ガス流出管が熱第２放射管に連結されているサウナ室用蒸気発生装置は、それが燃焼ガスの熱をサウナ室内に放熱するヒーター装置に接続されているから、ヒーター装置の熱第１放射管および熱第２放射管から燃焼ガスの熱を放射することによってサウナ室をロウリュウサウナに適する温度に加熱することができるとともに、蒸気発生装置から大量の高温蒸気を発生させることによってサウナ室に大量の高温蒸気を放出かつ充満させることができ、サウナ室を速やかにロウリュウサウナに適する熱気流環境にすることができる。
【００２０】
燃焼ガス流入管と燃焼ガス流出管とに連結された燃焼ガスバイパス管を含み、蓋を開けてケーシングの頂部開口を開放する際に、燃焼ガスバイパス管が開放され、ケーシングと燃焼ガスバイパス管との間に延びる燃焼ガス流入管が閉鎖されるとともに、ケーシングと燃焼ガスバイパス管との間に延びる燃焼ガス流出管が閉鎖され、ケーシングの内部への燃焼ガスの流入が遮断されて燃焼ガスが燃焼ガス流入管から燃焼ガスバイパス管を通って燃焼ガス流出管に流入するサウナ室用蒸気発生装置は、たとえばバイパス管が設置されていない状態でケーシングの頂部開口が開放されると、頂部開口からサウナ室内の空気がケーシング内部へ進入するとともに空気が燃焼ガス流出管からヒーター装置の熱第２放射管に進入し、熱第１放射管やバーナーを負圧に保持することができず、燃焼ガスをバーナーから排気口に向かって円滑に流動させることができなくなるが、バイパス管を設置することで、ケーシングの頂部開口が開放されたときに燃焼ガスがバイパス管に流入するから、ヒーター装置の熱第２放射管に空気が進入することはなく、熱第１放射管やバーナーを負圧に保持することができ、燃焼ガスをバーナーから排気口に向かって円滑に流動させることができる。また、バイパス管が設置されていない状態でケーシングの頂部開口が開放されると、発生した高温蒸気が熱第２放射管を通って排気口からサウナ室の室外に放出されてしまうが、バイパス管を設置することで、ケーシングの頂部開口が開放されたときに燃焼ガスがバイパス管に流入し、燃焼ガスがケーシングの頂部から底部に向かって流動することはなく、発生した高温蒸気をケーシングの頂部開口からサウナ室の室内に確実に放出させることができる。さらに、ケーシング内部に空気が進入すると、燃焼ガスに空気が混合されて燃焼ガスの熱エネルギーが低下し、熱第２放射管から高い熱エネルギーを有する赤外線を放射させることができないが、頂部開口の開放中に燃焼ガスがバイパス管を通って第２露出部に流入するから、頂部開口の開放中における燃焼ガスの熱エネルギーの低下を防ぐことができ、ヒーター装置の熱第２放射管を介して十分な熱エネルギーを有する赤外線をサウナ室内に放射させることができ、サウナ室の温度をロウリュウサウナに適する温度に加熱かつ保持することができる。なお、頂部開口の開放中に燃焼ガスが頂部開口から漏出して燃焼ガスによる不測の事故が起こる場合があるが、頂部開口の開放中に燃焼ガスが頂部開口から漏出する心配はなく、燃焼ガスによる不測の事故を防ぐことができる。
【００２１】
蓋を閉めて前記ケーシングの頂部開口を閉鎖する際に、燃焼ガスバイパス管が閉鎖され、ケーシングと燃焼ガスバイパス管との間に延びる燃焼ガス流入管が開放されるとともに、ケーシングと燃焼ガスバイパス管との間に延びる燃焼ガス流出管が開放され、燃焼ガスがケーシングの内部を流動するサウナ室用蒸気発生装置は、ケーシングの頂部開口が閉鎖された際、燃焼ガスを直ちにケーシングの内部に流入させることができ、サウナストーンを速やかに再加熱することができる。サウナ室用蒸気発生装置は、頂部開口から水を注水して高温蒸気を発生させると、それらサウナストーンの温度が低下するが、燃焼ガスをケーシングの内部に流動させることで、それらサウナストーンが速やかに加熱されるから、蒸気発生装置における高温蒸気の発生サイクルを短くすることができ、蒸気発生装置から大量の高温蒸気を短時間に複数回発生させることができる。
【図面の簡単な説明】
【００２２】
【図１】一例として示すサウナ室用蒸気発生装置の斜視図。
【図２】サウナ室用蒸気発生装置の斜視図。
【図３】サウナ室用蒸気発生装置とヒーター装置とを含むロウリュサウナシステムの正面図。
【図４】ヒーター装置のバーナーおよびファンを示すロウリュサウナシステムの側面図。
【図５】蓋を開けた状態で示すサウナ室用蒸気発生装置の斜視図。
【図６】蓋を開けた状態で示すサウナ室用蒸気発生装置の斜視図。
【図７】蓋を閉めた状態の他の一例として示すサウナ室用蒸気発生装置の斜視図。
【図８】サウナ室用蒸気発生装置とヒーター装置とを含むロウリュサウナシステムの正面図。
【図９】蓋を閉めた状態のサウナ室用蒸気発生装置における燃焼ガスの流れを示す模式図。
【図１０】蓋を開けた状態で示すサウナ室用蒸気発生装置の斜視図。
【図１１】蓋を開けた状態のサウナ室用蒸気発生装置における燃焼ガスの流れを示す模式図。
【図１２】サウナ室用蒸気発生装置とヒーター装置とを含むロウリュサウナシステムの正面図。
【図１３】蓋を閉めた状態のサウナ室用蒸気発生装置における燃焼ガスの流れを示す模式図。
【図１４】蓋を開けた状態のサウナ室用蒸気発生装置における燃焼ガスの流れを示す模式図。
【発明を実施するための形態】
【００２３】
一例として示すサウナ室用蒸気発生装置１０Ａの斜視図である図１等の添付の図面を参照し、本発明にかかるサウナ室用蒸気発生装置の詳細を説明すると、以下のとおりである。なお、図２は、サウナ室用蒸気発生装置１０Ａの斜視図であり、図３は、サウナ室用蒸気発生装置１０Ａとヒーター装置１２とを含むロウリュサウナシステム１３Ａの正面図である。図４は、ヒーター装置１２のバーナー３１およびファン３５を示すロウリュサウナシステム１３Ａの側面図であり、図５，６は、蓋１６を開けた状態で示すサウナ室用蒸気発生装置１０Ａの斜視図である。
【００２４】
図１，２では、蓋１６を閉め、ケーシング１４の頂部開口１５が閉鎖された状態で示す。図３では、ガード柵の図示を省略し、サウナ室１１の椅子に腰掛けた利用者を二点鎖線で示すとともに、ケーシング１４のサウナストーン収容空間２５に収容されたサウナストーン１７を点線で示す。図４では、バーナー３１およびファン３５の具体的な図示を省略し、バーナー３１およびファン３５を概念的に示す。図３，４では、燃焼ガスの流動を矢印Ｌ１で示し、図４では、赤外線の放射を矢印Ｌ２で示す。図５，６では、高温蒸気の放出を矢印Ｌ３で示す。図３，４では、上下方向を矢印Ａ、横方向を矢印Ｂで示し、前後方向を矢印Ｃで示す。
【００２５】
サウナ室用蒸気発生装置１０Ａは、サウナ室１１の室内に設置され、燃焼ガスの熱をサウナ室１１の室内に放熱するヒーター装置１２に接続される（図３参照）。蒸気発生装置１０Ａは、ヒーター装置１２によって生成された燃焼ガスの熱を利用して高温蒸気を発生し、高温蒸気をサウナ室１１の室内に放出する。なお、蒸気発生装置１０Ａは、ヒーター装置１２とともにロウリュサウナシステム１３Ａを形成している。
【００２６】
サウナ室用蒸気発生装置１０Ａは、上下方向へ長い所定容積のケーシング１４と、ケーシング１４の頂部開口１５を開閉可能な蓋１６（ハッチ）と、ケーシング１４の内部（収容空間２５）に収容された複数のサウナストーン１７と、ケーシング１４に接続された燃焼ガス流入管１８および燃焼ガス流出管１９と有する。蒸気発生装置１０Ａは、既存のリンク機構を利用して蓋１６を開閉する足踏み開閉式であるが、モーターを設置した自動開閉式であってもよい。
【００２７】
ケーシング１４は、鉄やステンレス等の金属から作られ、所定の厚み寸法を有する前後板２０，２１および両側板２２，２３と、所定の厚み寸法を有する台座２４とを有し、上下方向へ長い角柱状に成形されている。ケーシング１４には、それら壁２０〜２３に囲繞されたサウナストーン収容空間２５が画成されているとともに、それら壁２０〜２３の上端縁に囲繞されて上方へ向かって開口する頂部開口１５が画成されている。台座２４には、足踏みペダル２６が設置されている。燃焼ガス流入管１８は、ケーシング１４の頂部２７に接続されている。燃焼ガス流出管１９は、ケーシング１４の底部２９に接続されている。
【００２８】
ケーシング１４では、ペダル２６を足で踏む込むことで蓋１６が開いて頂部開口１５が開放され、ペダル２６への踏み込みを解除することで蓋１６が閉まって頂部開口１５が閉鎖される。蓋１６が閉まった状態では、ケーシング１４の頂部開口１５が気密に密閉される。それらサウナストーン１７は、ケーシング１４の底部２９から頂部２７に向かって収容空間２５に密に収容されている。それらサウナストーン１７は、燃焼ガスによって高温に加熱される。
【００２９】
ヒーター装置１２は、気体燃料（天然ガスや石油分解ガス、液化石油ガス、水素ガス等）または液体燃料（軽油や灯油、重油等）を燃焼させて所定温度（高温）の燃焼ガスを作り、その燃焼ガスの熱を後記する放射管３２，３３によってサウナ室１１の室内に放熱するとともに、燃焼ガスをサウナ室用蒸気発生装置１０Ａに送る。
【００３０】
ヒーター装置１２は、上下方向へ長い所定容積のハウジング３０と、燃焼ガスを作るバーナー３１と、バーナー３１につながって燃焼ガスの熱（赤外線）をサウナ室１１の室内に放射する熱第１放射管３２と、蒸気発生装置１０Ａから流出した燃焼ガスの熱（赤外線）をサウナ室１１の室内に放射する熱第２放射管３３と、熱第２放射管３３につながって燃焼ガスを外気に排気する排気口３４と、燃焼ガスを流動させるファン３５とを有する。気体燃料を使用する場合は、ガス栓に連結されたガス供給ホース（図示せず）からヒーター装置１２のバーナー３１に気体燃料（ガス）が供給される。液体燃料を使用する場合は、ヒーター装置１２に接続された燃料タンク（図示せず）からバーナー３１に液体燃料（油）が供給される。
【００３１】
ハウジング３０は、サウナ室１１の室内に設置されている。ハウジング３０は、鉄やステンレス等の金属から作られ、所定の厚み寸法を有する頂壁３６および底壁３７（台座）と、所定の厚み寸法を有する後壁３８と、所定の厚み寸法を有する両側壁３９，４０とを有する。ハウジング３０には、それら壁３６〜４０に囲繞されて前方へ向かって開口する開口部４１が画成されている。開口部４１には、図示はしていないが、金属から作られたガード柵が嵌め込まれている。
【００３２】
バーナー３１は、サウナ室１１の壁とハウジング３０の後壁３８とを貫通し、サウナ室１１の壁を隔ててサウナ室１１の室内と室外とに跨って設置されている。バーナー３１には、図示はしていないが、制御装置が設置されているとともに、ヒーター装置１２の発停（ＯＮ／ＯＦＦ）やヒーター装置１２における温度の調節（温度の高低）、ヒーター装置１２の稼働時間の調節（タイマー）等を指示する操作パネルが設置されている。
【００３３】
なお、図示はしていないが、バーナー３１には、燃焼用空気の給気口が作られている。また、気体燃料を使用する場合、バーナー３１に気体燃料を供給する燃料供給ホースを接続するホース接続口が作られる。液体燃料を使用する場合、液体燃料を供給する燃料タンクがバーナー３１の内部に接続される。バーナー３１は、燃焼用空気と気体燃料または液体燃料との混合気（混合ガス）を作り、その混合気に点火して燃焼させ、高温の燃焼ガスを生成し、その燃焼ガスを熱第１放射管３２や熱第２放射管３３、蒸気発生装置１０Ａに供給する。
【００３４】
制御装置は、操作パネルから入力されたＯＮ／ＯＦＦ信号に従って、ヒーター装置１２の発停を行い、操作パネルから入力された設定温度信号に従って、バーナー３１に供給する燃料の供給量やファン３５の回転数（出力）を調節し、ヒーター装置１２の燃焼量（熱第１放射管３２や熱第２放射管３３から放射される赤外線の温度）を制御する。
【００３５】
熱第１放射管３２は、鉄やステンレス等の金属から作られ、円筒形に成形されている。放射管３２の表面全域には、耐熱遠赤外線放射塗料が塗布されている。放射管３２は、ハウジング３０の内部に収容されてバーナー３１に連結され、ハウジング３０の内部において上下方向へ蛇行して延びている。放射管３２は、その一部がハウジング３０の側壁４０を貫通し、蒸気発生装置１０Ａの燃焼ガス流入管１８に連結されている。放射管３２は、バーナー３１で作られた燃焼ガスの熱エネルギー（赤外線）をサウナ室１１の室内に放射するとともに、燃焼ガスを蒸気発生装置１０Ａ（燃焼ガス流入管１８）に流入させる。
【００３６】
熱第２放射管３３は、鉄やステンレス等の金属から作られ、円筒形に成形されている。放射管３３の表面全域には、耐熱遠赤外線放射塗料が塗布されている。放射管３３は、ハウジング３０の内部に収容されてハウジング３０の内部において上下方向へ蛇行して延びている。放射管３３は、その一部がハウジング３０の側壁４０を貫通し、蒸気発生装置１０Ａの燃焼ガス流出管１９に連結されている。放射管３３は、ハウジング３９の後壁３８とサウナ室１１の壁とを貫通してサウナ室１１の室外に延びる排気部４２を有する。放射管３３は、蒸気発生装置１０Ａから流出した燃焼ガスの熱エネルギー（赤外線）をサウナ室１１の室内に放射する。熱第１放射管３２の長さは、熱第２放射管３３の長さの略半分である。なお、放射管３２の長さが放射管３３の長さの半分以下であってもよい。
【００３７】
排気口３４は、サウナ室１１の室外に設置され、熱第２放射管３３の排気部４２につながっている。排気口３４は、放射管３３を流動した燃焼ガスをサウナ室１１の室外（外気）に排気する。ファン３５は、サウナ室１１の室外に配置され、放射管３３の排気部４２に設置されている。ファン３５は、バーナー３１に燃焼用空気を給気するとともに、熱第１放射管３２の内部や熱第２放射管３３の内部、蒸気発生装置１０Ａの内部（ケーシング１４の内部）を負圧に保持し、燃焼ガスをバーナー３１から排気口３４に向かって流動させる。
【００３８】
図１〜図６に基づいてサウナ室用蒸気発生装置１０Ａにおける高温蒸気の放出を説明すると、以下のとおりである。操作パネルにおいてスイッチをＯＮにし、ロウリュサウナシステム１０Ａを起動する。スイッチをＯＮにすると、入力されたＯＮ信号に従って制御装置がヒーター装置１２を起動させる。なお、ヒーター装置１２の起動時では、蒸気発生装置１０Ａの蓋１６が閉められ、ケーシング１４の頂部開口１５が蓋１６によって閉鎖されている。ヒーター装置１２が起動すると、ファン３５によって燃焼用空気が給気口からバーナー３１に給気されるとともに、燃料がバーナー３１に供給される。バーナー３１は、燃焼用空気と燃料とを混合した混合気に点火し、混合気を燃焼させて燃焼ガスを生成する。
【００３９】
バーナー３１によって作られた燃焼ガスは、バーナー３１から熱第１放射管３２に流入し、図３に矢印Ｌ１で示すように、熱第１放射管３２を流動した後、放射管３２から燃焼ガス流入管１８に流入する。燃焼ガスが熱第１放射管３２を流動する過程において、その燃焼熱（熱エネルギー）が放射管３２の表面全域に伝達され、図４に矢印Ｌ２で示すように、燃焼熱が赤外線となって放射管３２の表面全域からハウジング３０の前方へ放射されるとともに燃焼ガス流入管１８の表面全域から放射され、燃焼ガスの熱エネルギー（赤外線）がサウナ室１１の室内に放射される。
【００４０】
燃焼ガス流入管１８に流入した燃焼ガスは、ケーシング１４の頂部３６からケーシング１４のサウナストーン収容空間２５（蒸気発生装置１０Ａの内部）に流入し、ケーシング１４の頂部２７から中間部２８に向かって流動するとともに、中間部２８から底部２９に向かって流動した後、ケーシング１４の底部２９からケーシング３１の外部（蒸気発生装置１０Ａの外部）に流出し、燃焼ガス流出管１９に流入する。
【００４１】
サウナ室用蒸気発生装置１０Ａでは、蓋１６を閉めてケーシング１４の頂部開口１５を閉鎖した状態で、燃焼ガスがケーシング１４の頂部２７から底部２９に向かって流動することで、頂部２７に位置するサウナストーン１７から底部２９に位置するサウナストーン１７に向かってそれらサウナストーン１７が高温に加熱される。蒸気発生装置１０Ａでは、ケーシング１４の頂部２７に位置するサウナストーン１７がケーシング１４の中間部２８および底部２９に位置するサウナストーン１７よりも高い温度に加熱されている。
【００４２】
ケーシング１４から燃焼ガス流出管１９に流入した燃焼ガスは、流出管１９から熱第２放射管３３に流入し、図３に矢印Ｌ１で示すように、放射管３３を流動した後、放射管３３の排気部４２に流入する。燃焼ガスが熱第２放射管３３を流動する過程において、その燃焼熱（熱エネルギー）が放射管３３の表面全域に伝達され、図３に矢印Ｌ２で示すように、燃焼熱が赤外線となって放射管３３の表面全域からハウジング３０の前方へ放熱されるとともに燃焼ガス流出管１９の表面全域から放射され、燃焼ガスの熱エネルギーがサウナ室１１の室内に放熱される。放熱やサウナストーン１７の加熱によって熱エネルギーが低下（温度が低下）した燃焼ガスは、排気部４２に流入した後、ファン３５を通って排気口３４からサウナ室１１の室外（外気）に排気される。
【００４３】
蒸気発生装置１０Ａにおいて高温蒸気を発生させる場合、足踏みペダル２６を踏んで蓋１６を開け、ケーシング１４の頂部開口１５を開放した後、頂部開口１５からケーシング１４の収容空間２５に収容されたそれらサウナストーン１７に注水する。水は、柄杓（図示せず）を利用して注水される。なお、水を注水するときには、燃焼ガスの流動が停止していることが必要である。サウナストーン１７に注水すると、ケーシング１７の頂部２７に位置するサウナストーン１７が高温に加熱されているから、水がケーシング１７の頂部２７において瞬時に気化し、図５，６に矢印Ｌ３で示すように、頂部開口１５から大量の高温蒸気がサウナ室１１の室内に一気に放出され、高温蒸気がサウナ室１１の室内に充満する。
【００４４】
ケーシング１４の頂部開口１５からの高温蒸気の放出が終了した後、ペダル２６の踏み込みを解除して蓋１６を閉め、ケーシング１４の頂部開口１５を閉鎖する。頂部開口１５を閉鎖した後、燃焼ガスをケーシング１４の頂部２７から中間部２８に向かって流動させるとともに中間部２８から底部２９に向かって流動させることでそれらサウナストーン１７を再加熱する。
【００４５】
それらサウナストーン１７の再加熱では、ケーシング１４の頂部２７に位置するサウナストーン１７が中間部２８に位置するサウナストーン１７よりも先に加熱され、ケーシング１４の中間部２８に位置するサウナストーン１７が底部２９に位置するサウナストーン１７よりも先に加熱され、頂部２７に位置するサウナストーン１７が中間部２８や底部２９に位置するサウナストーン１７よりも高い温度に加熱される。それらサウナストーン１７を再加熱した後、蓋１６を開けてケーシング１４の頂部開口１５を開放し、頂部開口１５からケーシング１４の収容空間２５に収容されたそれらサウナストーン１７に注水することで、頂部開口１５から大量の高温蒸気をサウナ室１１の室内に再び放出させることができる。
【００４６】
サウナ室１１の室内は、ヒーター装置１２の熱第１放射管３２や熱第２放射管３３から放射された赤外線と対流放熱とによって、ロウリュウサウナに適する温度（約７０〜約８０℃）に加熱され、蒸気発生装置１０Ａから放出された高温蒸気によって、ロウリュウサウナに適する熱気流環境になる。サウナ室用蒸気発生装置１０Ａは、ケーシング１４の頂部開口１５からそれらサウナストーン１７に注水することで、頂部開口１５から大量の高温蒸気が一気に放出されるから、サウナ室１１の室内に大量の高温蒸気を短時間に放出かつ充満させることができ、サウナ室１１をロウリュウサウナに適する熱気流環境にすることができる。
【００４７】
サウナ室用蒸気発生装置１０Ａは、ケーシング１４の頂部２７から底部２９に向かって燃焼ガスを流動させ、燃焼ガスの熱を利用してサウナストーン１７を加熱することで、特に頂部２７に位置するサウナストーン１７が高温に加熱されるから、ケーシング１４の頂部開口１５から注水することで頂部２７に位置するそれらサウナストーン１７において水が瞬時に気化し、ケーシング１４の頂部開口１５から大量の高温蒸気をサウナ室１１の室内に一気に放出させることができ、サウナ室１１を速やかにロウリュウサウナに適する熱気流環境にすることができる。
【００４８】
サウナ室用蒸気発生装置１０Ａは、ケーシング１４の頂部開口１５から注水して高温蒸気を発生させると、頂部２７に位置するサウナストーン１７の温度が真っ先に低下するが、燃焼ガスをケーシング１４の頂部２７から底部２９に向かって流動させることで、頂部２７に位置するそれらサウナストーン１７が速やかに再加熱されるとともに、中間部２８や底部２９に位置するサウナストーン１７が速やかに再加熱されるから、蒸気発生装置１０Ａにおける高温蒸気の発生サイクルを短くすることができ、蒸気発生装置１０Ａから大量の高温蒸気を短い時間間隔で発生させることができる。
【００４９】
燃焼ガスの熱をサウナ室１１の室内に放熱するヒーター装置１２と燃焼ガスの熱を利用してサウナ室１１の室内に高温蒸気を放出する蒸気発生装置１０Ａとから形成されたロウリュサウナシステム１３Ａは、ヒーター装置１２の熱第１放射管３２（燃焼ガス流入管１８を含む）および熱第２放射管３３（燃焼ガス流出管１９）から燃焼ガスの熱（熱エネルギー）を赤外線放射と対流放熱とによって、サウナ室１１をロウリュウサウナに適する温度（約７０〜約８０℃）に加熱することができ、蒸気発生装置１０Ａから大量の高温蒸気を発生させることによって、サウナ室１１の室内に大量の高温蒸気を放出かつ充満させることができるとともに、サウナ室１１を速やかにロウリュウサウナ環境にすることができる。
【００５０】
ロウリュサウナシステム１３Ａは、熱第１放射管３２の長さが熱第２放射管３３の長さの略半分であり、放射管３２の長さを短くすることで放射管３２における燃焼ガスの熱エネルギーの損失を防ぎ、燃焼ガスの熱エネルギーを蒸気発生装置１０Ａにおいて十分に利用することで、蒸気発生装置１０Ａのサウナストーン１７を高温に加熱することができ、サウナストーン１７に注水することでそのサウナストーン１７において水を瞬時に気化させることができる。ロウリュサウナシステム１３Ａは、熱第２放射管３３の長さを長くすることで、放射管３３からサウナ室１１を加熱する赤外線放射と対流放熱とを発生させることができ、サウナ室１１の温度を設定温度に加熱かつ保持することができる。
【００５１】
図７は、蓋１６を閉めた状態の他の一例として示すサウナ室用蒸気発生装置１０Ｂの斜視図であり、図８は、サウナ室用蒸気発生装置１０Ｂとヒーター装置１２とを含むロウリュサウナシステム１３Ｂの正面図である。図９は、蓋１６を閉めた状態のサウナ室用蒸気発生装置１０Ｂにおける燃焼ガスの流れを示す模式図であり、図１０は、蓋１６を開けた状態で示すサウナ室用蒸気発生装置１０Ｂの斜視図である。図１１は、蓋１６を開けた状態のサウナ室用蒸気発生装置１０Ｂにおける燃焼ガスの流れを示す模式図である。図８では、ガード柵の図示を省略し、サウナ室１１の椅子に腰掛けた利用者を二点鎖線で示すとともに、ケーシング１４に収容されたサウナストーン１７を点線で示す。図７〜図１１では、燃焼ガスの流動を矢印Ｌ１で示す。図１０では、高温蒸気の放出を矢印Ｌ３で示す。図８では、上下方向を矢印Ａで示し、横方向を矢印Ｂで示す。
【００５２】
図７に示すサウナ室用蒸気発生装置１０Ｂが図１のそれと異なるところは燃焼ガスバイパス管４３、第１〜第３モーターダンパ４４〜４６、コントローラ４７を含む点にあり、その他の構成は図１のサウナ室用蒸気発生装置１０Ａのそれらと同一であるから、その他の構成については図１の蒸気発生装置１０Ａと同一の符号を付すとともに、蒸気発生装置１０Ａについての説明を援用することで、その他の構成の詳細な説明は省略する。コントローラ４７には、ディスプレイおよびタッチパネルを備えた制御盤が設置されている。ディスプレイには、蓋閉鎖中、蓋開放中、蓋開放可、蓋閉鎖可が表示される。タッチパネルには、蓋開放ボタンが表示される。
【００５３】
サウナ室用蒸気発生装置１０Ｂは、図１のそれと同様に、サウナ室１１の室内に設置され、燃焼ガスの熱をサウナ室１１の室内に放熱するヒーター装置１２に接続される（図８参照）。蒸気発生装置１０Ｂは、ヒーター装置１２によって生成された燃焼ガスの熱を利用して高温蒸気を発生し、高温蒸気をサウナ室１１の室内に放出する。なお、蒸気発生装置１０Ｂは、ヒーター装置１２とともにロウリュサウナシステム１３Ｂを形成している。なお、ロウリュサウナシステム１０Ｂは、図３のそれと同様に、所定温度の燃焼ガスを利用してサウナ室１１を加熱するとともに高温蒸気で満たし、サウナ室１１にロウリュサウナ環境を実現にする。
【００５４】
サウナ室用蒸気発生装置１０Ｂは、上下方向へ長い角柱状に成形された所定容積のケーシング１４と、ケーシング１４の頂部開口１５を開閉可能な蓋１６（ハッチ）と、ケーシング１４の収容空間２５（内部）に収容された複数のサウナストーン１７と、ケーシング１４の頂部２７に連結された燃焼ガス流入管１８と、ケーシング１４の底部２９に連結された燃焼ガス流出管１９とを有する。蒸気発生装置１０Ｂには、図示はしていないが、蓋１６の開閉を検知して開閉信号を出力する開閉センサが設置されている。
【００５５】
燃焼ガス流入管１８は、熱第１放射管３２に接続され、燃焼ガス流出管１９は、熱第２放射管３３に接続されている。燃焼ガスバイパス管４３は、鉄やステンレス等の金属から作られ、円筒形に成形されている。バイパス管４３は、燃焼ガス流入管１８と燃焼ガス流出管１９とに接続され、流入管１８と流出管１９とを連結している。
【００５６】
ケーシング１４と燃焼ガスバイパス管４３との間に延びる燃焼ガス流入管１８には、第１モーターダンパ４４が設置されている。ケーシング１４と燃焼ガスバイパス管４３との間に延びる燃焼ガス流出管１９には、第２モーターダンパ４５が設置されている。燃焼ガスバイパス管４３には、第３モーターダンパ４６が設置されている。なお、それらモーターダンパ４４〜４６に替えて手動ダンパを使用することもできる。
【００５７】
第１〜第３モーターダンパ４４〜４６は、モジュトロールモーターと、そのモーターの駆動力によって旋回する旋回羽根と、旋回羽根の旋回によって開閉される空気流路と、旋回羽根の旋回を制御する制御部とを有する。第１〜第３モーターダンパ４４〜４６の制御部は、インターフェイス４８を介してコントローラ４７に接続されている。蒸気発生装置１０Ｂに設置された開閉センサは、インターフェイス４８を介してコントローラ４７に接続されている。
【００５８】
第１〜第３モーターダンパ４４〜４６の制御部は、コントローラ４７から出力された開閉信号によってモジュトロールモーターが回転し、それによって旋回羽根の旋回角度（ダンパ開度）を変更することで、空気流路を開放または閉鎖する。コントローラ４７から開信号が出力され、それらモーターダンパ４４〜４６の空気流路が開放されると、燃焼ガスが蒸気発生装置１０Ｂまたは燃焼ガスバイパス管４３に流入する。コントローラ４７から閉信号が出力され、それらモーターダンパ４４〜４６の空気流路が閉鎖されると、蒸気発生装置１０Ｂまたは燃焼ガスバイパス管４３への燃焼ガスの流入が遮断される。
【００５９】
ヒーター装置１２は、上下方向へ長い所定容積のハウジング３０と、燃焼ガスを作るバーナー３１と、バーナー３１につながって燃焼ガスの熱（赤外線）をサウナ室１１の室内に放熱する熱第１放射管３２と、蒸気発生装置１０Ｂから流出した燃焼ガスの熱（赤外線）をサウナ室１１の室内に放熱する熱第２放射管３３と、熱第２放射管３３の排気部４２につながって燃焼ガスを外気に排気する排気口３４（図２援用）と、燃焼ガスを流動させるファン３５（図２援用）とを有する。
【００６０】
図７〜図１１に基づいてサウナ室用蒸気発生装置１０Ｂにおける高温蒸気の放出を説明すると、以下のとおりである。操作パネルにおいてスイッチをＯＮにすると、入力されたＯＮ信号に従って制御装置がヒーター装置１２を起動させる。ヒーター装置１２が起動すると、ファン３５によって燃焼用空気が給気口からバーナー３１に給気されるとともに、燃料がバーナー３１に供給される。バーナー３１は、燃焼用空気と燃料とを混合した混合気に点火し、混合気を燃焼させて燃焼ガスを生成する。
【００６１】
バーナー３１によって作られた燃焼ガスは、バーナー３１から熱第１放射管３２に流入し、図８に矢印Ｌ１で示すように、熱第１放射管３２を流動した後、放射管３２から燃焼ガス流入管１８に流入する。燃焼ガスが熱第１放射管３２を流動する過程において、その燃焼熱（熱エネルギー）が放射管３２の表面全域に伝達され、燃焼熱が赤外線となって放射管３２の表面全域からハウジング３０の前方へ放熱されるとともに燃焼ガス流入管１８の表面全域から放熱され、燃焼ガスの熱エネルギー（赤外線）がサウナ室１１の室内に放熱される（図２参照）。
【００６２】
蓋１６が閉められ、ケーシング１４の頂部開口１５が閉鎖された状態では、開閉センサから閉信号がコントローラ４７に出力され、コントローラ４７は頂部開口１５が閉鎖されていると判断し、開信号を第１および第２モーターダンパ４４，４５の制御部に出力するとともに、閉信号を第３モーターダンパ４６の制御部に出力する。
【００６３】
図９に示すように、コントローラ４７から開信号を受信した第１および第２モーターダンパ４４，４５の制御部は、旋回羽根を旋回させて空気流路を開放し、または、既にする空気流路が開放されている場合はその状態を維持する。コントローラ４７から閉信号を受信した第３モーターダンパ４６の制御部は、旋回羽根を旋回させて空気流路を閉鎖し、または、既にする空気流路が閉鎖されている場合はその状態を維持する。なお、手動ダンパを使用する場合は、燃焼ガス流入管１８および燃焼ガス流出管１９に設置されたダンパを手動で開け、バイパス管４３に設置されたダンパを手動で閉める。コントローラ４７の制御盤のディスプレイには、蓋閉鎖中が表示される。
【００６４】
図７，９の状態において熱第１放射管３２から燃焼ガス流入管１８に流入した燃焼ガスは、燃焼ガスバイパス管４３に流入することなく、燃焼ガス流入管１８を通ってケーシング１４の頂部２７からケーシング１４の収容空間２５（蒸気発生装置１０Ｂの内部）に流入し、ケーシング１４の頂部２７から底部２９に向かって流動した後、ケーシング１４の底部２９からケーシング１４の外部（蒸気発生装置１０Ｂの外部）に流出し、燃焼ガス流出管１９に流入する。蒸気発生装置１０Ｂでは、蓋１６を閉めてケーシング１４の頂部開口１５を閉鎖した状態で、燃焼ガスがケーシング１４の頂部２７から底部２９に向かって流動し、頂部２７に位置するサウナストーン１７から底部２９に位置するサウナストーン１７に向かってそれらサウナストーン１７が高温に加熱される。
【００６５】
ケーシング１４（蒸気発生装置１０Ｂ）から流出した燃焼ガスは、図７に矢印Ｌ１で示すように、燃焼ガス流出管１９を流動した後、熱第２放射管３３に流入し、放射管３３を流動した後、放射管３３から排気部４２に流入する。燃焼ガスが熱第２放射管３３を流動する過程において、その燃焼熱（熱エネルギー）が放射管３３の表面全域に伝達され、燃焼熱が赤外線となって放射管３３の表面全域からハウジング３０の前方へ放熱されるとともに燃焼ガス流出管１９の表面全域から放熱され、燃焼ガスの熱エネルギーがサウナ室１１の室内に赤外線と対流放熱との形で放熱される（図２参照）。放熱やサウナストーン１７の加熱によって熱エネルギーが低下（温度が低下）した燃焼ガスは、排気部４２に流入した後、ファン３５を通って排気口３４からサウナ室１１の室外（外気）に排気される。
【００６６】
蒸気発生装置１０Ｂにおいて高温蒸気を発生させる場合、コントローラ４７の制御盤のタッチパネルに表示された蓋開放ボタンを押す。蓋開放ボタンを押すと、蓋開放要求信号がコントローラ４７に転送され、コントローラ４７が閉信号を第１および第２モーターダンパ４４，４５の制御部に出力するとともに、開信号を第３モーターダンパ４６の制御部に出力する。図１１に示すように、コントローラ４７から閉信号を受信した第１および第２モーターダンパ４４，４５の制御部は、旋回羽根を旋回させて空気流路を閉鎖する。コントローラ４７から開信号を受信した第３モーターダンパ４６の制御部は、旋回羽根を旋回させて空気流路を開放する。
【００６７】
第１および第２モーターダンパ４４，４５の空気流路が閉鎖されると、ケーシング１４と燃焼ガスバイパス管４３との間に延びる燃焼ガス流入管１８が閉鎖されるとともに、ケーシング１４とバイパス管４３との間に延びる燃焼ガス流出管１９が閉鎖され、ケーシング１４の頂部２７から収容空間２５（内部）への燃焼ガスの流入が遮断される。燃焼ガスバイパス管４３が開放されると、燃焼ガスが燃焼ガス流入管１８からバイパス管４３を通って燃焼ガス流出管１９に流入する。なお、手動ダンパを使用する場合は、燃焼ガス流入管１８や燃焼ガス流出管１９に設置されたダンパを手動で閉め、バイパス管４３に設置されたダンパを手動で開ける。
【００６８】
第１および第２モーターダンパ４４，４５の空気流路が閉鎖され、第３モーターダンパ４６の空気流路が開放されると、コントローラ４７のディスプレイには、蓋開放可が表示される。蓋開放可メッセージを確認した後、足踏みペダル２６を踏んで蓋１６を開け、ケーシング１４の頂部開口１５を開放させる。なお、蓋１６が自動開閉式である場合、蓋１６が自動的に開けられる。蓋１６が開き、ケーシング１４の頂部開口１５が開放されると、開閉センサから開信号がコントローラ４７に出力される。コントローラ４７は、頂部開口１５が開放されたと判断し、ディスプレイに蓋開放中を表示するとともに、蓋閉鎖可を表示する。
【００６９】
ケーシング１４の頂部開口１５を開放した後、柄杓を利用し、頂部開口１５からケーシング１４の収容空間２５に収容されたそれらサウナストーン１７に注水する。水を注水するときには、ヒーター装置１２のバーナー３１やファン３５が稼働し、燃焼ガスが生成され、燃焼ガスが熱第１放射管３２→燃焼ガス流入管１８→燃焼ガスバイパス管４３→燃焼ガス流出管１９→熱第２放射管３３の順で流動し、それら管１８，１９，３２，３３，４３から熱エネルギーが放熱されている。サウナストーン１７に注水すると、ケーシング１４の頂部２７に位置するサウナストーン１７が高温に加熱されているから、水がケーシング１４の頂部２７において瞬時に気化し、図１０に矢印Ｌ３で示すように、頂部開口１５から大量の高温蒸気がサウナ室１１の室内に一気に放出され、高温蒸気がサウナ室１１の室内に充満する。
【００７０】
ケーシング１４の頂部開口１５からの高温蒸気の放出が終了した後、ペダル２６の踏み込みを解除して蓋１６を閉め、頂部開口１５を閉鎖する。蓋１６が閉められ、ケーシング１４の頂部開口１５が閉鎖されると、開閉センサから閉信号がコントローラ４７に出力され、コントローラ４７は頂部開口１５が閉鎖されていると判断し、開信号を第１および第２モーターダンパ４４，４５の制御部に出力するとともに、閉信号を第３モーターダンパ４６の制御部に出力する。なお、蓋１６が自動開閉式の場合、タッチパネルに蓋閉鎖ボタンが表示され、その閉鎖ボタンを押す。閉鎖ボタンを押すと、蓋１６が自動的に閉まる。
【００７１】
コントローラ４７から開信号を受信した第１および第２モーターダンパ４４，４５の制御部は、旋回羽根を旋回させて空気流路を開放し、コントローラ４７から閉信号を受信した第３モーターダンパ４６の制御部は、旋回羽根を旋回させて空気流路を閉鎖する。なお、手動ダンパを使用する場合は、燃焼ガス流入管１８や燃焼ガス流出管１９に設置されたダンパを手動で開け、バイパス管４３に設置されたダンパを手動で閉める。コントローラ４７の制御盤のディスプレイには、蓋閉鎖中が表示される。
【００７２】
燃焼ガスバイパス管４３が閉鎖されると、燃焼ガス流入管１８からバイパス管４３への燃焼ガスの流入が遮断される。第１および第２モーターダンパ４４，４５の空気流路が開放されると、ケーシング１４とバイパス管４３との間に延びる燃焼ガス流入管１８が開放されるとともに、ケーシング１４とバイパス管４３との間に延びる燃焼ガス流出管１９が開放され、燃焼ガスが流入管１８を通ってケーシング１４の頂部２７から収容空間２５へ流入し、ケーシング１４の底部２９からケーシング１４の外部へ流出して燃焼ガス流出管１９に流入する（図９参照）。
【００７３】
頂部開口１５が閉鎖された後、燃焼ガスをケーシング１４の頂部２７から底部２９に向かって流動させることでそれらサウナストーン１７が再加熱される。それらサウナストーン１７の再加熱では、ケーシング１４の頂部２７に位置するサウナストーン１７が中間部２８に位置するサウナストーン１７よりも先に加熱され、ケーシング１４の中間部２８に位置するサウナストーン１７が底部２９に位置するサウナストーン１７よりも先に加熱され、頂部２７に位置するサウナストーン１７が中間部２８および底部２９に位置するサウナストーン１７よりも高い温度に加熱される。それらサウナストーン１７を再加熱した後、蓋１６を開けてケーシング１４の頂部開口１５を開放し、頂部開口１５からケーシング１４の収容空間２５に収容されたそれらサウナストーン１７に注水することで、頂部開口１５から大量の高温蒸気をサウナ室１１の室内に再び放出させることができる。
【００７４】
サウナ室１１の室内は、ヒーター装置１２の熱第１放射管３２および熱第２放射管３３からの放熱や流入管１８および流出管１９からの放熱によって、ロウリュウサウナに適する温度（約７０〜約８０℃）に加熱され、蒸気発生装置１０Ｂから放出された高温蒸気によって、サウナ室１１をロウリュウサウナに適する熱気流環境になる。
【００７５】
サウナ室用蒸気発生装置１０Ｂは、図１の蒸気発生装置１０Ａが有する効果に加え、以下の効果を有する。蒸気発生装置１０Ｂは、たとえば燃焼ガスバイパス管４３が設置されていない状態でケーシング１４の頂部開口１５が開放されると、頂部開口１５から空気（外気）がケーシング１４の収容空間２５（内部）へ進入するとともに空気が燃焼ガス流出管１９から熱第２放射管３３に進入し、熱第１放射管３２やバーナー３５を負圧に保持することができず、燃焼ガスをバーナー３５から排気口３４に向かって円滑に流動させることができないが、バイパス管４３を設置することで、ケーシング１４の頂部開口１５が開放されたときに燃焼ガスがバイパス管４３に流入するから、熱第２放射管３３に空気（外気）が進入することはなく、熱第１放射管３２やバーナー３５を負圧に保持することができ、燃焼ガスをバーナー３５から排気口３４に向かって円滑に流動させることができる。
【００７６】
また、バイパス管４３が設置されていない状態でケーシング１４の頂部開口１５が開放されると、発生した高温蒸気が熱第２放射管３３を通って排気口３４からサウナ室１１の室外に放出されてしまうが、バイパス管４３を設置することで、ケーシング１４の頂部開口１５が開放されたときに燃焼ガスがバイパス管４３に流入し、燃焼ガスがケーシング１４の頂部２７から底部２９に向かって流動することはなく、発生した高温蒸気をケーシング１４の頂部開口１５からサウナ室１１の室内に確実に放出させることができる。
【００７７】
さらに、ケーシング１４の収容空間２５に空気が進入すると、燃焼ガスに空気が混合されて燃焼ガスの熱エネルギーが低下し、熱第２放射管３３から高い熱エネルギーを放熱させることができないが、頂部開口１５の開放中に燃焼ガスがバイパス管４３を通って燃焼ガス流出管１９に流入するから、頂部開口１５の開放中における燃焼ガスの熱エネルギーの低下を防ぐことができ、熱第２放射管３３を介して十分な熱エネルギーをサウナ室１１の室内に放熱させることができ、サウナ室の温度をロウリュウサウナに適する約７０〜約８０℃に加熱かつ保持することができる。なお、頂部開口１５の開放中に燃焼ガスが頂部開口１５から漏出して燃焼ガスによる不測の事故が起こる場合があるが、頂部開口１５の開放中に燃焼ガスが頂部開口１５から漏出する心配はなく、燃焼ガスによる不測の事故を防ぐことができる。
【００７８】
燃焼ガスの熱エネルギーをサウナ室１１の室内に放熱するヒーター装置１２と燃焼ガスの熱を利用してサウナ室１１の室内に高温蒸気を放出する蒸気発生装置１０Ｂとから形成されたロウリュサウナシステム１３Ｂは、ロウリュサウナシステム１３Ａが有する効果に加え、以下の効果を有する。ロウリュサウナシステム１０Ｂは、蓋１６を閉めてケーシング１４の頂部開口１５を閉鎖すると、バイパス管４３が閉鎖され、ケーシング１４とバイパス管４７との間に延びる燃焼ガス流入管１８が開放されるとともに、ケーシング１４とバイパス管４７との間に延びる燃焼ガス流出管１９が開放され、直ちに燃焼ガスがケーシング１４の頂部２７から底部２９に向かって流動するから、ケーシング１４の頂部開口１５が閉鎖された後、燃焼ガスをケーシング１４の収容空間２５に流動させることができ、サウナストーン１７を速やかに再加熱することができる。
【００７９】
図１２は、サウナ室用蒸気発生装置１０Ｃとヒーター装置１２とを含むロウリュサウナシステム１３Ｃの正面図であり、図１３は、蓋１６を閉めた状態のサウナ室用蒸気発生装置１０Ｃにおける燃焼ガスの流れを示す模式図である。図１４は、蓋１６を開けた状態のサウナ室用蒸気発生装置１０Ｃにおける燃焼ガスの流れを示す模式図である。図１２では、ガード柵の図示を省略し、サウナ室１１の椅子に腰掛けた利用者を二点鎖線で示すとともに、ケーシング１４に収容されたサウナストーン１７を点線で示す。図１２〜図１４では、燃焼ガスの流動を矢印Ｌ１で示し、上下方向を矢印Ａ、横方向を矢印Ｂで示す。
【００８０】
図１２に示すサウナ室用蒸気発生装置１０Ｃが図１のそれと異なるところは、燃焼ガスバイパス管４３、第１〜第３モーターダンパ４４〜４６、コントローラ４７を含むとともに、燃焼ガス流入管１８がケーシング１７の底部２９に接続され、燃焼ガス流出管１９がケーシング１７の頂部２７に接続されている点にあり、その他の構成は図１のサウナ室用蒸気発生装置１０Ａのそれらと同一であるから、その他の構成については図１の蒸気発生装置１０Ａと同一の符号を付すとともに、蒸気発生装置１０Ａについての説明を援用することで、その他の構成の詳細な説明は省略する。
【００８１】
サウナ室用蒸気発生装置１０Ｃは、図１や図７のそれらと同様に、サウナ室１１の室内に設置され、燃焼ガスの熱をサウナ室１１の室内に放熱するヒーター装置１２に接続される。蒸気発生装置１０Ｃは、ヒーター装置１２によって生成された燃焼ガスの熱を利用して高温蒸気を発生し、高温蒸気をサウナ室１１の室内に放出する。なお、蒸気発生装置１０Ｃは、ヒーター装置１２とともにロウリュサウナシステム１３Ｃを形成している。なお、ロウリュサウナシステム１０Ｃは、図３や図８のそれらと同様に、所定温度の燃焼ガスを利用してサウナ室１１を加熱するとともに高温蒸気で満たし、サウナ室１１にロウリュサウナ環境を実現にする。
【００８２】
サウナ室用蒸気発生装置１０Ｃは、上下方向へ長い角柱状に成形された所定容積のケーシング１４と、ケーシング１４の頂部開口１５を開閉可能な蓋１６（ハッチ）と、ケーシング１４の収容空間２５（内部）に収容された複数のサウナストーン１７と、ケーシング１４の底部２９に連結された燃焼ガス流入管１８と、ケーシング１４の頂部２７に連結された燃焼ガス流出管１９とを有する。蒸気発生装置１０Ｃには、図示はしていないが、蓋１６の開閉を検知して開閉信号を出力する開閉センサが設置されている。
【００８３】
燃焼ガス流入管１８は、熱第１放射管３２に接続されているとともに、ケーシング１７の底部２９に接続されている。燃焼ガス流出管１９は、熱第２放射管３３に接続されているとともに、ケーシング１７の頂部２７に接続されている。燃焼ガスバイパス管４３は、燃焼ガス流入管１８と燃焼ガス流出管１９とに接続され、流入管１８と流出管１９とを連結している。
【００８４】
ケーシング１４と燃焼ガスバイパス管４３との間に延びる燃焼ガス流入管１８には、第１モーターダンパ４４が設置されている。ケーシング１４と燃焼ガスバイパス管４３との間に延びる燃焼ガス流出管１９には、第２モーターダンパ４５が設置されている。燃焼ガスバイパス管４３には、第３モーターダンパ４６が設置されている。第１〜第３モーターダンパ４４〜４６は、図７のサウナ室用蒸気発生装置１０Ｂに使用したそれらと同一である。なお、それらモーターダンパ４４〜４６に替えて手動ダンパを使用することもできる。
【００８５】
ヒーター装置１２は、上下方向へ長い所定容積のハウジング３０と、燃焼ガスを作るバーナー３１と、バーナー３１につながって燃焼ガスの熱（赤外線）をサウナ室１１の室内に放熱する熱第１放射管３２と、蒸気発生装置１０Ｃから流出した燃焼ガスの熱（赤外線）をサウナ室１１の室内に放熱する熱第２放射管３３と、熱第２放射管３３の排気部４２につながって燃焼ガスを外気に排気する排気口３４（図２援用）と、燃焼ガスを流動させるファン３５（図２援用）とを有する。
【００８６】
図１２〜図１４に基づいてサウナ室用蒸気発生装置１０Ｃにおける高温蒸気の放出を説明すると、以下のとおりである。操作パネルにおいてスイッチをＯＮにすると、入力されたＯＮ信号に従って制御装置がヒーター装置１２を起動させる。ヒーター装置１２が起動すると、ファン３５によって燃焼用空気が給気口からバーナー３１に給気されるとともに、燃料がバーナー３１に供給される。バーナー３１は、燃焼用空気と燃料とを混合した混合気に点火し、混合気を燃焼させて燃焼ガスを生成する。
【００８７】
バーナー３１によって作られた燃焼ガスは、バーナー３１から熱第１放射管３２に流入し、図１２に矢印Ｌ１で示すように、熱第１放射管３２を流動した後、放射管３２から燃焼ガス流入管１８に流入する。燃焼ガスが熱第１放射管３２を流動する過程において、その燃焼熱（熱エネルギー）が放射管３２の表面全域に伝達され、燃焼熱が赤外線となって放射管３２の表面全域からハウジング３０の前方へ放熱されるとともに燃焼ガス流入管１８の表面全域から放熱され、燃焼ガスの熱エネルギー（赤外線）がサウナ室１１の室内に放熱される（図２参照）。
【００８８】
蓋１６が閉められ、ケーシング１４の頂部開口１５が閉鎖された状態では、開閉センサから閉信号がコントローラ４７に出力され、コントローラ４７は頂部開口１５が閉鎖されていると判断し、開信号を第１および第２モーターダンパ４４，４５の制御部に出力するとともに、閉信号を第３モーターダンパ４６の制御部に出力する。
【００８９】
図１３に示すように、コントローラ４７から開信号を受信した第１および第２モーターダンパ４４，４５の制御部は、旋回羽根を旋回させて空気流路を開放する。コントローラ４７から閉信号を受信した第３モーターダンパ４６の制御部は、旋回羽根を旋回させて空気流路を閉鎖する。なお、手動ダンパを使用する場合は、燃焼ガス流入管１８および燃焼ガス流出管１９に設置されたダンパを手動で開け、バイパス管４３に設置されたダンパを手動で閉める。コントローラ４７の制御盤のディスプレイには、蓋閉鎖中が表示される。
【００９０】
図１３の状態において熱第１放射管３２から燃焼ガス流入管１８に流入した燃焼ガスは、燃焼ガスバイパス管４３に流入することなく、燃焼ガス流入管１８を通ってケーシング１４の底部２９からケーシング１４の収容空間２５（蒸気発生装置１０Ｃの内部）に流入し、ケーシング１４の底部２９から頂部２７に向かって流動した後、ケーシング１４の頂部２７からケーシング１４の外部（蒸気発生装置１０Ｃの外部）に流出し、燃焼ガス流出管１９に流入する。蒸気発生装置１０Ｃでは、蓋１６を閉めてケーシング１４の頂部開口１５を閉鎖した状態で、燃焼ガスがケーシング１４の底部２９から頂部２７に向かって流動し、底部２９に位置するサウナストーン１７から頂部２７に位置するサウナストーン１７に向かってそれらサウナストーン１７が高温に加熱される。
【００９１】
ケーシング１４（蒸気発生装置１０Ｃ）から流出した燃焼ガスは、図１２に矢印Ｌ１で示すように、燃焼ガス流出管１９を流動した後、熱第２放射管３３に流入し、放射管３３を流動した後、放射管３３から排気部４２に流入する。燃焼ガスが熱第２放射管３３を流動する過程において、その燃焼熱（熱エネルギー）が放射管３３の表面全域に伝達され、燃焼熱が赤外線となって放射管３３の表面全域からハウジング３０の前方へ放熱されるとともに燃焼ガス流出管１９の表面全域から放熱され、燃焼ガスの熱エネルギー（赤外線）がサウナ室１１の室内に放熱される（図２参照）。放熱やサウナストーン１７の加熱によって熱エネルギーが低下（温度が低下）した燃焼ガスは、排気部４２に流入した後、ファン３５を通って排気口３４からサウナ室１１の室外（外気）に排気される。
【００９２】
蒸気発生装置１０Ｃにおいて高温蒸気を発生させる場合、コントローラ４７の制御盤のタッチパネルに表示された蓋開放ボタンを押す。蓋開放ボタンを押すと、コントローラ４７が閉信号を第１および第２モーターダンパ４４，４５の制御部に出力するとともに、開信号を第３モーターダンパ４６の制御部に出力する。図１４に示すように、コントローラ４７から閉信号を受信した第１および第２モーターダンパ４４，４５の制御部は、旋回羽根を旋回させて空気流路を閉鎖する。コントローラ４７から開信号を受信した第３モーターダンパ４６の制御部は、旋回羽根を旋回させて空気流路を開放する。
【００９３】
第１および第２モーターダンパ４４，４５の空気流路が閉鎖されると、ケーシング１４と燃焼ガスバイパス管４３との間に延びる燃焼ガス流入管１８が閉鎖されるとともに、ケーシング１４とバイパス管４３との間に延びる燃焼ガス流出管１９が閉鎖され、ケーシング１４の底部２９から収容空間２５（内部）への燃焼ガスの流入が遮断される。燃焼ガスバイパス管４３が開放されると、燃焼ガスが燃焼ガス流入管１８からバイパス管４３を通って燃焼ガス流出管１９に流入する。なお、手動ダンパを使用する場合は、燃焼ガス流入管１８や燃焼ガス流出管１９に設置されたダンパを手動で閉め、バイパス管４３に設置されたダンパを手動で開ける。
【００９４】
第１および第２モーターダンパ４４，４５の空気流路が閉鎖され、第３モーターダンパ４６の空気流路が開放されると、コントローラ４７のディスプレイには、蓋開放可が表示される。蓋開放可メッセージを確認した後、足踏みペダル２６を踏んで蓋１６を開け、ケーシング１４の頂部開口１５を開放させる。なお、蓋１６が自動開閉式である場合、蓋１６が自動的に開けられる。蓋１６が開き、ケーシング１４の頂部開口１５が開放されると、開閉センサから開信号がコントローラ４７に出力される。コントローラ４７は、頂部開口１５が開放されたと判断し、ディスプレイに蓋開放中を表示するとともに、蓋閉鎖可を表示する。
【００９５】
ケーシング１４の頂部開口１５を開放した後、柄杓を利用し、頂部開口１５からケーシング１４の収容空間２５に収容されたそれらサウナストーン１７に注水する。水を注水するときには、ヒーター装置１２のバーナー３１やファン３５が稼働し、燃焼ガスが生成され、燃焼ガスが熱第１放射管３２→燃焼ガス流入管１８→燃焼ガスバイパス管４３→燃焼ガス流出管１９→熱第２放射管３３の順で流動し、それら管１８，１９，３２，３３，４３から熱エネルギーが放熱されている。サウナストーン１７に水を注水すると、収容空間２５に収容されたサウナストーン１７が高温に加熱されているから、水が瞬時に気化し、頂部開口１５から大量の高温蒸気がサウナ室１１の室内に一気に放出され（図１０参照）、高温蒸気がサウナ室１１の室内に充満する。
【００９６】
ケーシング１４の頂部開口１５からの高温蒸気の放出が終了した後、ペダル２６の踏み込みを解除して蓋１６を閉め、頂部開口１５を閉鎖する。蓋１６が閉められ、ケーシング１４の頂部開口１５が閉鎖されると、開閉センサから閉信号がコントローラ４７に出力され、コントローラ４７は頂部開口１５が閉鎖されていると判断し、開信号を第１および第２モーターダンパ４４，４５の制御部に出力するとともに、閉信号を第３モーターダンパ４６の制御部に出力する。
【００９７】
コントローラ４７から開信号を受信した第１および第２モーターダンパ４４，４５の制御部は、旋回羽根を旋回させて空気流路を開放し、コントローラ４７から閉信号を受信した第３モーターダンパ４６の制御部は、旋回羽根を旋回させて空気流路を閉鎖する。なお、手動ダンパを使用する場合は、燃焼ガス流入管１８や燃焼ガス流出管１９に設置されたダンパを手動で開け、バイパス管４３に設置されたダンパを手動で閉める。コントローラ４７の制御盤のディスプレイには、蓋閉鎖中が表示される。
【００９８】
燃焼ガスバイパス管４３が閉鎖されると、燃焼ガス流入管１８からバイパス管４３への燃焼ガスの流入が遮断される。第１および第２モーターダンパ４４，４５の空気流路が開放されると、ケーシング１４とバイパス管４３との間に延びる燃焼ガス流入管１８が開放されるとともに、ケーシング１４とバイパス管４３との間に延びる燃焼ガス流出管１９が開放され、燃焼ガスが流入管１８を通ってケーシング１４の底部２９から収容空間２５へ流入し、ケーシング１４の頂部２７からケーシング１４の外部へ流出して燃焼ガス流出管１９に流入する（図１３参照）。
【００９９】
頂部開口１５が閉鎖された後、燃焼ガスをケーシング１４の底部２９から頂部２７に向かって流動させることでそれらサウナストーン１７が再加熱される。それらサウナストーン１７の再加熱では、ケーシング１４の底部２９に位置するサウナストーン１７が中間部２８に位置するサウナストーン１７よりも先に加熱され、ケーシング１４の中間部２８に位置するサウナストーン１７が頂部２９に位置するサウナストーン１７よりも先に加熱される。それらサウナストーン１７を再加熱した後、蓋１６を開けてケーシング１４の頂部開口１５を開放し、頂部開口１５からケーシング１４の収容空間２５に収容されたそれらサウナストーン１７に注水することで、頂部開口１５から大量の高温蒸気をサウナ室１１の室内に再び放出させることができる。
【０１００】
サウナ室１１の室内は、ヒーター装置１２の熱第１放射管３２および熱第２放射管３３からの放熱や流入管１８および流出管１９からの放熱によって、ロウリュウサウナに適する温度（約７０〜約８０℃）に加熱され、蒸気発生装置１０Ｃから放出された高温蒸気によって、サウナ室１１をロウリュウサウナに適する熱気流環境になる。サウナ室用蒸気発生装置１０Ｃは、ケーシング１４の頂部開口１５からそれらサウナストーン１７を注水することで、頂部開口１５から大量の高温蒸気が一気に放出されるから、サウナ室１１の室内に大量の高温蒸気を短時間に放出かつ充満させることができ、サウナ室１１をロウリュウサウナに適する熱気流環境にすることができる。
【０１０１】
サウナ室用蒸気発生装置１０Ｃは、たとえば燃焼ガスバイパス管４３が設置されていない状態でケーシング１４の頂部開口１５が開放されると、頂部開口１５から空気（外気）がケーシング１４の収容空間２５（内部）へ進入するとともに空気が燃焼ガス流出管１９から熱第２放射管３３に進入し、熱第１放射管３２やバーナー３５を負圧に保持することができず、燃焼ガスをバーナー３５から排気口３４に向かって円滑に流動させることができないが、バイパス管４３を設置することで、ケーシング１４の頂部開口１５が開放されたときに燃焼ガスがバイパス管４３に流入するから、熱第２放射管３３に空気（外気）が進入することはなく、熱第１放射管３２やバーナー３５を負圧に保持することができ、燃焼ガスをバーナー３５から排気口３４に向かって円滑に流動させることができる。
【０１０２】
また、バイパス管４３が設置されていない状態でケーシング１４の頂部開口１５が開放されると、発生した高温蒸気が熱第２放射管３３を通って排気口３４からサウナ室１１の室外に放出されてしまうが、バイパス管４３を設置することで、ケーシング１４の頂部開口１５が開放されたときに燃焼ガスがバイパス管４３に流入し、燃焼ガスがケーシング１４の底部２９から頂部２７に向かって流動することはなく、発生した高温蒸気をケーシング１４の頂部開口１５からサウナ室１１の室内に確実に放出させることができる。
【０１０３】
さらに、ケーシング１４の収容空間２５に空気が進入すると、燃焼ガスに空気が混合されて燃焼ガスの熱エネルギーが低下し、熱第２放射管３３から高い熱エネルギーを放熱させることができないが、頂部開口１５の開放中に燃焼ガスがバイパス管４３を通って燃焼ガス流出管１９に流入するから、頂部開口１５の開放中における燃焼ガスの熱エネルギーの低下を防ぐことができ、熱第２放射管３３を介して十分な熱エネルギーをサウナ室１１の室内に放熱させることができ、サウナ室の温度をロウリュウサウナに適する約７０〜約８０℃に加熱かつ保持することができる。なお、頂部開口１５の開放中に燃焼ガスが頂部開口１５から漏出して燃焼ガスによる不測の事故が起こる場合があるが、頂部開口１５の開放中に燃焼ガスが頂部開口１５から漏出する心配はなく、燃焼ガスによる不測の事故を防ぐことができる。
【０１０４】
燃焼ガスの熱エネルギーをサウナ室１１の室内に放熱するヒーター装置１２と燃焼ガスの熱を利用してサウナ室１１の室内に高温蒸気を放出する蒸気発生装置１０Ｃとから形成されたロウリュサウナシステム１３Ｃは、ロウリュサウナシステム１３Ａが有する効果に加え、以下の効果を有する。ロウリュサウナシステム１０Ｃは、蓋１６を閉めてケーシング１４の頂部開口１５を閉鎖すると、バイパス管４３が閉鎖され、ケーシング１４とバイパス管４７との間に延びる燃焼ガス流入管１８が開放されるとともに、ケーシング１４とバイパス管４７との間に延びる燃焼ガス流出管１９が開放され、直ちに燃焼ガスがケーシング１４の頂部２７から底部２９に向かって流動するから、ケーシング１４の頂部開口１５が閉鎖された後、燃焼ガスをケーシング１４の収容空間２５に流動させることができ、サウナストーン１７を速やかに再加熱することができる。
【符号の説明】
【０１０５】
１０Ａ  サウナ室用蒸気発生装置
１０Ｂ  サウナ室用蒸気発生装置
１０Ｃ  サウナ室用蒸気発生装置
１２    ヒーター装置
１３Ａ  ロウリュサウナシステム
１３Ｂ  ロウリュサウナシステム
１３Ｃ  ロウリュサウナシステム
１４    ケーシング
１５    頂部開口
１６    蓋
１７    サウナストーン
１８    燃焼ガス流入管
１９    燃焼ガス流出管
２０    前板
２１    後板
２２    側板
２３    側板
２４    台座
２５    サウナストーン収容空間
２６    足踏みペダル
２７    頂部
２８    中間部
２９    底部
３０    ハウジング
３１    バーナー
３２    熱第１放射管
３３    熱第２放射管
３４    排気口
３５    ファン
４３    燃焼ガスバイパス管
４４    第１モーターダンパ
４５    第２モーターダンパ
４６    第３モーターダンパ
４７    コントローラ
【図１】
2015096097.tif 000003
【図２】
2015096097.tif 000004
【図３】
2015096097.tif 000005
【図４】
2015096097.tif 000006
【図５】
2015096097.tif 000007
【図６】
2015096097.tif 000008
【図７】
2015096097.tif 000009
【図８】
2015096097.tif 000010
【図９】
2015096097.tif 000011
【図１０】
2015096097.tif 000012
【図１１】
2015096097.tif 000013
【図１２】
2015096097.tif 000014
【図１３】
2015096097.tif 000015
【図１４】
2015096097.tif 000016